(57)【特許請求の範囲】
【請求項１】
標準時刻信号を含む標準電波を受信し、前記標準時刻信号を出力する受信回路と、
報音を行う時刻であるプログラムチャイム時刻が入力される入力部と、
制御信号に応じて前記報音を行う報音回路と、
前記入力部に入力されたプログラムチャイム時刻を含む時台を除いて、所定の時台から順に前記受信回路に受信させる受信時刻を含む時台を所望の数だけ設定し、前記設定された時台に応じて、前記受信回路に前記標準電波を受信させて標準時刻信号を出力させ、前記標準時刻信号に応じて時刻の修正を行い、少なくとも前記設定されたプログラムチャイム時刻になった場合には、前記プログラムチャイム時刻に応じた制御信号を前記報音回路に出力する制御回路とを有する
自動修正時計。
【請求項２】
前記制御回路により設定された受信時刻を記憶する記憶回路を有する
請求項１に記載の自動修正時計。
【請求項３】
前記制御回路は、毎正時になった場合には、前記毎正時に応じた制御信号を前記報音回路に出力する
請求項１または２のいずれかに記載の自動修正時計。
【請求項４】
明暗を検出する明暗検出手段を有し、
前記制御回路は、前記毎正時、かつ前記明暗検出手段により暗状態が検出された場合には、前記報音回路に前記毎正時に応じた制御信号を出力しない
請求項３に記載の自動修正時計。
【発明の詳細な説明】
【０００１】
【発明の属する技術分野】
本発明は、たとえば、標準電波を受信し、この標準電波に含まれる標準時刻に応じて時刻を修正する自動修正時計において、所望の時刻に報音することができる自動修正時計に関するものである。
【０００２】
【従来の技術】
従来、たとえば、福島県田村郡都路村おおたかどや山の標準電波送信所から送信された標準時刻信号を含んだ周波数４０ｋＨｚの標準電波を受信し、標準時刻信号に基づいて、いわゆる帰零などを行い、時刻の修正を行う機能を有する自動修正時計が知られている。
【０００３】
【発明が解決しようとする課題】
ところで、従来、ユーザにより設定された所望の時刻に報音を行う報音回路を有する報音時計、いわゆる目覚まし時計等が知られている。
この所望の時刻に報音を行う機能を、上述の自動修正時計に追加したいという要望がある。
【０００４】
しかし、単純に、上述した自動修正時計に、ユーザにより設定された所望の時刻に報音を行う報音回路を設けた場合には、幾つかの問題点がある。
【０００５】
たとえば、上述の自動修正時計では、ユーザにより報時時刻が標準電波を受信する受信時刻に重なって設定された場合、および標準電波を受信している時刻に報音時刻が設定された場合には、報音回路から発生するノイズが標準電波を受信する受信回路に混入して標準時刻信号を復調することが困難になる可能性があるという問題点がある。
【０００６】
また、上述の自動修正時計では、標準電波を受信して時刻の修正が行われた時刻の直後に、報音時刻が設定された場合には、たとえば、修正後の時刻が報音時刻よりも先の時刻に修正される可能性がある。
そして、上述のような場合には、自動修正時計では、報音時刻がスキップされるために報音が行われない可能性があるという問題点がある。
【０００７】
本発明は、かかる事情に鑑みてなされたものであり、その目的は、任意に設定された時刻に報音を行うことができる自動修正時計を提供することにある。
【０００８】
【課題を解決するための手段】
前記目的を達成するために、本発明の自動修正時計は、標準時刻信号を含む標準電波を受信し、前記標準時刻信号を出力する受信回路と、報音を行う時刻であるプログラムチャイム時刻が入力される入力部と、制御信号に応じて前記報音を行う報音回路と、前記入力部に入力されたプログラムチャイム時刻を含む時台を除いて、所定の時台から順に前記受信回路に受信させる受信時刻を含む時台を所望の数だけ設定し、前記設定された時台に応じて、前記受信回路に前記標準電波を受信させて標準時刻信号を出力させ、前記標準時刻信号に応じて時刻の修正を行い、少なくとも前記設定されたプログラムチャイム時刻になった場合には、前記プログラムチャイム時刻に応じた制御信号を前記報音回路に出力する制御回路とを有する。
【００１１】
また、好適には、前記制御回路により設定された受信時刻を記憶する記憶回路を有する。
【００１２】
また、好適には、前記制御回路は、毎正時になった場合には、前記毎正時に応じた制御信号を前記報音回路に出力する。
【００１３】
また、好適には、明暗を検出する明暗検出手段を有し、前記制御回路は、前記毎正時、かつ前記明暗検出手段により暗状態が検出された場合には、前記報音回路に前記毎正時に応じた制御信号を出力しない。
【００１４】
上記構成による本発明によれば、たとえば、自動修正時計が部屋の中に設置されている。
制御回路では、たとえば、毎正時になると、毎正時に応じた制御信号が報音回路に出力される。
報音回路では、その制御信号に応じた報音、たとえば、その時刻の数だけ時打ちの報音を行う。
【００１５】
そして、たとえば、ユーザによりプロブラム時刻が入力部に入力される。
制御回路では、入力部に入力されたプログラムチャイム時刻に応じて、たとえば、プログラムチャイム時刻を含む時台を除いて、所定の時台から順に、前記受信回路に受信させる受信時刻を含む時台を所望の数だけ設定される。
【００１６】
ここで、時台とは、時刻を１時間毎に区切った時間であり、具体的には、毎時０分から５９分５９秒９９ぐらいまでの時間をいう。
たとえば、午前３時１２分は午前３時台であり、午後４時３８分は午後４時台である。
【００１７】
制御回路では、具体的には、プログラムチャイム時刻、つまりユーザにより設定された報音時刻が午前１時１３分の場合には午前１時台を除いて、たとえば、午前０時台（午前１２時台）から、順に、たとえば、４つの受信時刻を含む時台が設定される。
上述の条件では、制御回路では、午前１２時台、午前２時台、午前３時台、および午前４時台が、受信時刻（時台）として設定される。
【００１８】
そして、制御回路では、設定された受信時台になると、あらかじめ定められた時間、たとえば、その時台の１６分４０秒に、受信回路に標準電波を受信させ、その標準電波に含まれる標準時刻信号を出力させて、その標準時刻信号に応じて時刻の修正が行われる。
【００１９】
上述のように制御回路では、標準電波を受信回路に受信させる受信時刻が設定されるので、たとえば、ユーザにより設定された報音時刻であるプログラム時刻に、受信時刻が重なることがなくなり、標準電波を受信する受信回路に、たとえば、報音時に報音回路から発生するノイズが混入するということがなくなる。
【００２０】
また、記憶回路では、制御回路により決定された受信時刻が記憶される。
【００２１】
そして、たとえば、夜間に部屋の電灯の明かりが消され、暗状態になった場合には、明暗検出手段によりその暗状態が検出される。
制御回路では、明暗検出手段により暗状態が検出された場合には、毎正時になった場合であっても、毎正時に応じた制御信号を報音回路に出力しない。
【００２２】
【発明の実施の形態】
図１は、本発明に係る自動修正時計の一実施の形態を説明するための概略図である。
【００２３】
本実施の形態の自動修正時計１は、図１に示すように、たとえば、基地局２から周波数４０ｋＨｚまたは６０ｋＨｚで送信された標準電波を受信し、標準電波に含まれる標準時刻信号である標準時刻コードに基づいて時刻の修正を行う。
そして、自動修正時計１は、ユーザにより設定された複数のプログラムチャイム時刻（プログラム時刻またはチャイム時刻とも言う）、および正時になると報音を行う。
【００２４】
図２は本発明に係る自動修正時計の信号処理系回路の一実施の形態を示すブロック図、図３は本発明に係る自動修正時計の指針位置検出装置の一実施の形態の全体構成を示す図、図４は本発明に係る自動修正時計の指針位置検出装置の要部の平面図である。
【００２５】
図において、１０は信号処理系回路、１１は標準電波信号受信系、１２は強制受信スイッチ、１３は記憶回路である不揮発性メモリ、１４は発振回路、１５は制御回路、１６はドライブ回路、１７は警告手段および報知手段としての発光素子、１８はバッファ回路、１９はドライブ回路、２０はスイッチ群、３０は液晶表示パネル、４０は明暗検出手段としてのＣｄＳセンサ、５０は報音回路としてのメロディ発生回路、５１はアンプ、５２はスピーカ、Ｖｃｃは電源電圧、Ｃ1からＣ3 はキャパシタ、Ｒ1 からＲ7 は抵抗素子、１００は時計本体、１２０は秒針を駆動する第１駆動系、１３０は指針である分針および時針を駆動する第２駆動系、１４０は光透過型光検出センサ、１５０は利用者が手により直接時刻合わせを行う手動修正系をそれぞれ示している。
【００２６】
また、液晶表示パネル３０は、図５に示すように、文字盤２０１の略中央の指針軸より下側（６時側）に設けられている。
液晶表示パネル３０は、制御回路１５による制御により時刻およびカレンダー表示をデジタルで表示可能である。
発光素子１７は、たとえば図５に示すように、文字盤２０１下側である６時表示部の近傍に設けられている。
【００２７】
また、明暗検出普段としてのＣｄＳセンサ４０は、たとえば図５に示すように、文字盤２０１の５時表示部の近傍に設けられている。
また、図５において、２０２は秒針、２０３は分針、２０４は時針をそれぞれ示している。
【００２８】
標準電波信号受信系１１は、受信アンテナ１１ａと、たとえば基地局２から送信された標準時刻信号を含む標準時刻電波Ｓ１を受信し、所定の処理を行いパルス信号Ｓ１１として制御回路１５に出力する長波受信回路１１ｂとから構成されている。
この長波受信回路１１ｂは、たとえばＲＦアンプ、検波回路、整流回路、および積分回路とから構成されている。
【００２９】
なお、標準電波信号受信系１１で受信される、日本標準時を高精度で伝える長波の標準電波は、図６（ａ）に示すような形態で送られてくる。
【００３０】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００３１】
そして、受信状態が良好な場合には、標準電波信号受信系１１からは図６（ｂ）に示すように、標準電波信号に応じたパルス信号として信号Ｓ１１が、制御回路１５に出力される。
【００３２】
次に、長波標準電波の送信データについて説明する。
図７は、標準時刻電波信号の時刻コードの一例を示している。
【００３３】
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００３４】
日本の標準電波は以前（実験局当時）の送信データに加え、年下２桁、曜、分パリティ、時パリティ、サマータイム導入の際に使用予定である予備ビット、うるう秒が追加された（図７（ｂ）参照）。以下これら新設された情報のうち、特に予備ビット、うるう秒情報、停波情報について説明する。
【００３５】
予備ビットは表１に示される如く、ＳＵ１、ＳＵ２を使用する。これらは将来の情報拡張のために用意されたものである。サマータイム情報でこのビットが活用されるときは、ＳＵ１＝ＳＵ２＝０では「６日以内に夏時間への変更無し」、ＳＵ１＝１・ＳＵ２＝０では「６日以内に夏時間への変更あり」、ＳＵ１＝０・ＳＵ２＝１では「夏時間実施中」、ＳＵ１＝ＳＵ２＝１では「６日以内に夏時間終了」となるような情報形態となっている。夏時間への切り換わりについては日本ではまだサマータイムが導入されておらず、未だ不明の状態であるが欧州のサマータイムの切り替わりをみると、夜中のうちに行っている場合が多い。
【００３６】
【表１】
0003779898.tif 000002
【００３７】
次にうるう秒は表２に示される如く、ＬＳ１、ＬＳ２の２ビットを使用し、ＬＳ１＝ＬＳ２＝０では、「１ヶ月以内にうるう秒の補正を行わない」、ＬＳ１＝１・ＬＳ２＝０では「１ヶ月以内に負のうるう秒（削除）あり」つまり１分間が５９秒となり、ＬＳ１＝ＬＳ２＝１では「１ヶ月以内に正のうるう秒（挿入）あり」つまり１分間が６１秒となるような情報形態となっている。うるう秒の補正のタイミングは既に決められており、ＵＴＣ時刻の１月１日もしくは７月１日の直前に行われることになっている。よって、日本時間（ＪＴＣ）では１月１日もしくは７月１日午前９：００直前に行われることになる。
【００３８】
【表２】
0003779898.tif 000003
【００３９】
停波情報は表３の（ａ）、（ｂ）、（ｃ）に示される如く、ＳＴ１、ＳＴ２、ＳＴ３、ＳＴ４、ＳＴ５、ＳＴ６を使用し、ＳＴ１・ＳＴ２・ＳＴ３で停波開始予告、ＳＴ４で停波時間帯予告、ＳＴ５・ＳＴ６で停波期間予告の停波情報を提供する。まず停波開始予告について説明すると、ＳＴ１＝ＳＴ２＝ＳＴ３＝０では「停波予定無し」、ＳＴ１＝ＳＴ２＝０・ＳＴ３＝１では「７日以内に停波」、ＳＴ１＝０・ＳＴ２＝１・ＳＴ３＝０では「３から６日以内に停波」、ＳＴ１＝０・ＳＴ２＝ＳＴ３＝１では「２日以内に停波」、ＳＴ１＝１・ＳＴ２＝ＳＴ３＝０では「２４時間以内に停波」、ＳＴ１＝１・ＳＴ２＝０・ＳＴ３＝１では「１２時間以内に停波」、ＳＴ１＝ＳＴ２＝１・ＳＴ３＝０では「２時間以内に停波」となっている。次に停波時間帯予告は、ＳＴ４＝１では「昼間のみ」、ＳＴ４＝０では「終日、または停波予定無し」である。次に停波期間予告は、ＳＴ５＝ＳＴ６＝０では「停波予定無し」、ＳＴ５＝０・ＳＴ６＝１では「７日以上停波、または期間不明」、ＳＴ５＝１・ＳＴ６＝０では「２から６日以内で停波」、ＳＴ５＝ＳＴ６＝１では「２日未満で停波」となっている。
【００４０】
【表３】
0003779898.tif 000004
【００４１】
以上、独立行政法人通信総合研究所（ＣＲＬ：ＣｏｍｍｕｎｉｃａｔｉｏｎｓＲｅｓｅａｒｃｈ  Ｌａｂｏｒａｔｏｒｙ）が運用管理している長波の標準時刻情報を含む電波による送信情報について詳述した如く、標準時刻情報以外に予備ビットによる情報、うるう秒情報、停波情報も送信情報に含まれる。
【００４２】
不揮発性メモリ１３には、制御回路１５により標準電波を受信する受信時刻（受信時台）、およびプログラムチャイム時刻が記憶される。
また、不揮発性メモリ１３は、制御回路１５により、記憶されている受信時刻およびプログラムチャイム時刻が読み出される。
【００４３】
発振回路１４は、水晶発振器ＣＲＹおよびキャパシタＣ2 ，Ｃ3 により構成され、所定周波数の基本クロックを制御回路１５に供給する。
【００４４】
制御回路１５は、時針カウンタ、分針カウンタ、秒針カウンタ等を含む内部時計１５ａを有している。
【００４５】
たとえば初期修正モード時には、初期設定を行い、標準電波信号受信系１１によるパルス信号Ｓ１１を受けて、受信した標準電波信号の受信状態があらかじめ決められた基準範囲と比較し、受信状態が基準範囲内にある場合には、第１および第２の制御信号ＣＴＬ1 ，ＣＴＬ2 をバッファ１８を介して、秒針駆動系としてのステッピングモータ１２１に出力して指針位置検出（初期設定）を行い、受信状態が基準範囲にない場合には、第１および第２の制御信号ＣＴＬ1 ，ＣＴＬ2 を出力せずに、ドライブ信号ＤＲ1 をドライブ回路１６に出力して、報知手段としての発光素子１７を発光させてユーザに標準電波信号がほとんど受信できない旨を報知させる。
【００４６】
そして、受信状態が基準範囲内にある場合に初期設定を行わせた後、受信した電波信号をデコードし、デコードの結果、時刻化が可能である場合には、発振回路１４による基本クロックに基づいて各種カウンタのカウント制御並びに光検出センサによる検出信号ＤＴ1 の入力レベルに応じて、制御信号ＣＴＬ1 ，ＣＴＬ2 、をバッファ回路１８を介して秒針用のステッピングモータ１２１および時分針用のステッピングモータ１３１に出力して回転制御を行うことにより早送り時刻制御を行う。
【００４７】
また、制御回路１５は、液晶表示パネル３０に修正時刻を表示させる。
一方、デコードの結果、時刻化が不可能である場合には、制御信号ＣＴＬ1 ，ＣＴＬ2 を出力せずに、ドライブ信号ＤＲ1 をドライブ回路１６に出力して、報知手段としての発光素子１７を発光させてユーザに電波受信が良好でない旨を報知させる。そして、上述したように、指針位置検出処理を行い、指針を早送りして、時刻カウンタに基づいて時刻の修正を行う。
【００４８】
これにより、初期修正モードの動作を完了させる。
【００４９】
また、制御回路１５は、チャイム時刻設定モードの場合には、液晶表示パネル３０にプログラムチャイム時刻を表示し、ユーザにより、セレクトスイッチ２５、アップスイッチ２６、およびダウンスイッチ２７が操作されると、それに応じて時分秒等の各項目が手動で設定される。
また、プログラムチャイム時刻は、たとえば、一日に１２個等、複数個が設定可能である。
そして、制御回路１５は、固定接点２４ａが設定完了接点２４ｂに接続されると、設定された複数のプログラムチャイム時刻を不揮発性メモリ１３に記憶する。
【００５０】
また、制御回路１５は、プログラムチャイム時刻に応じて、たとえば、プログラムチャイム時刻を含む時台を除いて、所定の時台から順に、標準電波信号受信系１１に受信させる受信時刻を含む時台を所望の数だけ設定する。
【００５１】
具体的には、制御回路１５は、不揮発性メモリ１３に記憶されているプログラムチャイム時刻を順に読み出し、そのプログラムチャイム時刻の時台を除いて、たとえば、ＡＭ１２時台から順に、計４つの受信時刻を含む時台を設定する。
【００５２】
たとえばユーザにより設定されたプログラムチャイム時刻が、午前１時１３分の場合には午前１時台を除いて、たとえば、午前０時台（午前１２時台）から、順に、午前２時台、午前３時台、午前４時台と設定される。
【００５３】
そして、制御回路１５では、設定された受信時台になると、あらかじめ定められた時間、たとえば、その時台の１６分４０秒に、受信回路に標準電波を受信させ、その標準電波に含まれる標準時刻信号を出力させて、その標準時刻信号に応じて時刻の修正が行われる。
【００５４】
また、制御回路１５は、通常修正モードにおいては、発振回路１４において、１秒の時間がカウントされると、内部時計１５ａである時刻カウンタを１秒だけカウントアップし、第１の制御信号ＣＴＬ1 を出力して、秒針用ステッピングモータ１２１をパルス駆動する。そして、時刻カウンタにおいて１０秒毎に、制御信号ＣＴＬ2 を出力し、時分針用ステッピングモータ１３１をパルス駆動する。
そして、受信時刻になると、初期修正モード時の初期設定動作後と同様の動作を行う。
【００５５】
具体的には、通常修正モードの場合には、受信した電波信号をデコードし、デコードの結果、時刻化が可能である場合には、発振回路１４による基本クロックに基づいて各種カウンタのカウント制御並びに光検出センサ１４０による検出信号ＤＴ1 の入力レベルに応じて、制御信号ＣＴＬ1 ，ＣＴＬ2 をバッファ１７を介して秒針用のステッピングモータ１２１および時分針用のステッピングモータ１３１に出力して回転制御を行うことにより早送り時刻修正制御を行う。
そして、制御回路１５は、液晶表示パネル３０に修正時刻を表示させる。
一方、デコードの結果、時刻化が不可能である場合には、制御信号ＣＴＬ1 ，ＣＴＬ2 を出力せずに、ドライブ信号ＤＲ1 をドライブ回路１６に出力して、報知手段としての発光ダイオード１６を発光させてユーザに電波受信が良好でない旨を報知させる。
【００５６】
なお、上記の説明では、受信状態が基準範囲外にあると判別するときは、電波が弱かったり、ノイズが多いときである。
電波が非常に弱い場合には、図６（ｃ）に示すように、数個の信号分、ローレベル（Ｌ）かハイレベル（Ｈ）のままになる。
また、ノイズが多いときは、時刻電波と無関係にレベルが変化する。
これらの状態にある信号Ｓ１１を、たとえば１０秒に２回あるいはそれ以上受けたときには、受信状態が基準範囲外にあると判別する。
具体的には、たとえば１０秒程度を検出時間として、時間内においてレベルの変化が１秒以内に検出されなかったときおよび検出したパルス幅が０．８、０．５、０．２秒付近でなかったときをＮＧとして、ＮＧが２回以上発生したときには受信不可能と判断する。
そして、上述したように、指針位置検出処理を行い、指針を早送りして、時刻カウンタに基づいて時刻の修正を行う。
【００５７】
ドライブ回路１６は、ｐｎｐ型トランジスタＱ1 および抵抗素子Ｒ1 ，Ｒ2 により構成されている。
トランジスタＱ1 のベースが抵抗素子Ｒ1 を介して制御回路１５のドライブ信号ＤＲ1 の出力ラインに接続され、コレクタが抵抗素子Ｒ2 を介して発光ダイオードからなる発光素子１７のアノードに接続され、エミッタが電源電圧ＶCCの供給ラインに接続されている。そして、発光素子１７のカソードが接地されている。
すなわち、発光素子１７は、制御回路１５からローレベルのドライブ信号ＤＲ1 が出力されたときに発光するようにドライブ回路１６に接続されている。
また、発光素子１７は、制御回路１５から一定の間隔で出力されたドライブ信号ＤＲ1 に応じて、点滅を行い警告を行う。
【００５８】
また、ドライブ回路１９は、ｐｎｐ型トランジスタＱ2 、および抵抗素子Ｒ3，Ｒ4 により構成されている。
トランジスタＱ2 のエミッタは電源電圧ＶCCの供給ラインに接続され、ベースは抵抗素子Ｒ3 を介して制御回路１５のドライブ信号ＤＲ2 の出力ラインに接続され、コレクタは抵抗素子Ｒ4 を介して光検出センサ１４０に接続されている。
ドライブ回路１９は、制御回路１５からドライブ信号ＤＲ2 が出力された場合に、光検出センサに電力を供給する。
【００５９】
修正用スイッチ群２０は、モニタースイッチ２１、設定解除スイッチ２２、報時選択スイッチ２３、セットモード切替スイッチ２４、セレクトスイッチ２５、アップ（ＵＰ）スイッチ２６、ダウン（ＤＯＷＮ）スイッチ２７を有する。
【００６０】
モニタースイッチ２１は、たとえば、メロディを発音させるときにオンされる。
このモニタースイッチ２１がオンされたときに、制御回路１５は、メロディ発生回路５０に制御信号を出力して、メロディ発生回路５０からアンプ５１およびスピーカ５２を介してメロディを発音させる。
【００６１】
設定解除スイッチ２２は、ユーザにより設定されたプログラムチャイム時刻であるチャイム時刻を取り消す場合にオンされる。
この設定解除スイッチ２２がオンされると、制御回路１５は、不揮発性メモリ１３に記憶さているプログラムチャイム時刻をリセットして、設定されたチャイム時刻を取り消す。
【００６２】
報時選択スイッチ２３は、接地された固定接点２３ａ、正時時打接点２３ｂ、チャイム接点２３ｃ、オフ（ＯＦＦ）接点２３ｄを有する。
【００６３】
固定接点２３ａを正時時打接点２３ｂ、チャイム接点２３ｃ、またはオフ接点２３ｄに接続することで、それぞれ、正時時打モード、チャイムモード、報時オフモードを選択可能である。
【００６４】
正時時打モードでは、制御回路１５は、内部時計１５ａが正時になった場合に、その時刻の時の数だけ報音するように、メロディ発生回路５０に、正時の応じた制御信号ＣＴＬ50を出力し、メロディ発生回路５０に時打の報音を行わせる。
また、制御回路１５は、ＣｄＳセンサ４０により暗状態が検出されている場合には、制御信号ＣＴＬ50を出力しない。
【００６５】
チャイムモードでは、制御回路１５は、内部時計１５ａが、プログラムチャイム時刻になった場合に、プログラムチャイム時刻に応じた制御信号ＣＴＬ50をメロディ発生回路５０に出力し、メロディ発生回路５０に、メロディにより報音させる。
【００６６】
報時オフモードでは、制御回路１５は報音を行わない。
【００６７】
セットモード切替スイッチ２４は、固定接点２４ａ、設定完了接点２４ｂ、チャイム接点２４ｃ、現時刻接点２４ｄを有する。
【００６８】
固定接点２４ａを設定完了接点２４ｂ、チャイム時刻設定接点２４ｃ、または現時刻接点接点２４ｄに接続することで、それぞれ、プログラムチャイム時刻の設定完了、プログラムチャイム時刻設定モード、現時刻設定モードを選択可能である。
【００６９】
制御回路１５は、固定設定２４ａが、接点２４ｂ、接点２４ｃ、または接点２４ｄに接続された場合には、それぞれに応じた所望の処理を行う。
【００７０】
セレクトスイッチ２５は、プログラムチャイム時刻設定モードの場合に、ユーザにより所望の時刻の、時、分、秒等を選択する場合にオンされる。
同様に、セレクトスイッチ２５は、現時刻設定モードの場合に、現時刻の修正を行う、たとえば、年、日、曜日、時、分等の項目を選択する際にオンされる。
【００７１】
アップ（ＵＰ）スイッチ２６は、セレクトスイッチ２５により選択された時、分等の桁を一つ進める場合にオンされる。
【００７２】
ダウン（ＤＯＷＮ）スイッチ２７は、セレクトスイッチ２５により選択された時、分等の桁を一つ遅らせる場合にオンされる。
【００７３】
ＣｄＳセンサ４０は、明暗を検出するセンサーであり、たとえば、明状態が検出されると抵抗値が所定の値よりも低くなり、暗状態を検出すると抵抗値が所定の値よりも高くなる。
【００７４】
ＣｄＳセンサ４０の一端は基準電位に保持され、他端はノード４０ａおよび抵抗素子Ｒ8 を介してトランジスタＱ40のコレクタおよび制御回路１５に接続されている。
また、トランジスタＱ40のコレクタは抵抗素子Ｒ7 を介して基準電位に保持され、ベースは抵抗Ｒ6 を介して制御回路１５に接続され、エミッタは電源電圧ＶCCに接続されている。
【００７５】
制御回路１５は、明暗状態を、ノード４０ａの電位により判別する。
具体的には、制御回路１５は、ドライブ信号ＤＲ3 を抵抗素子Ｒ6 を介してトランジスタＱ40に出力し、明状態の場合にはＣｄＳセンサ４０の抵抗値が所定の値よりも低くなりノード４０ａの電位がほぼ基準電位になり、暗状態の場合にはＣｄＳセンサ４０の抵抗値が所定の値よりも高くなりノード４０ａの電位が所定の値よりも高くなるので、ノード４０ａの電位を検出することにより明暗状態の判別を行う。
【００７６】
メロディ発生回路５０は、制御回路１５からの制御信号に応じたメロディを、アンプ５１およびスピーカ５２を介して発音する。
【００７７】
たとえば、メロディ発生回路５０は、制御回路１５から正時の報音を行わせる制御信号ＣＬＴ５０が入力されると、その制御信号ＣＬＴ５０に応じて、たとえば、ボーンという鐘の音をアンプ５１およびスピーカを介して発音する。
【００７８】
また、メロディ発生回路５０は、制御回路１５からプログラムチャイム時刻の報音を行わせる制御信号ＣＬＴ５０が入力されると、その制御信号ＣＬＴ５０に応じて、たとえば、ポピュラーなメロディを、アンプ５１、スピーカ５２を介して、発音する。
【００７９】
次に、自動修正時計のムーブメントおよび指針位置検出系の具体的な構成について、図３、図４、図８〜図１６に関連付けて説明する。
【００８０】
時計本体１００は、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系１２０、第２駆動系１３０、光検出センサ１４０、手動修正系１５０等が固定あるいは軸支されている。
【００８１】
第１駆動系１２０は、図３、図４および図８に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用ステッピングモータ１２１と、ロータ１２１ｃのピニオン１２１Ｃ’に大径歯車１２２ａが噛合した第１伝達歯車（第１検出用歯車）としての第１の５番車１２２と、この第１の５番車１２２の小型歯車１２２ｂに噛合した第２検出用歯車（第１指針車）としての秒針車１２３とにより構成されている。
ここで、秒針用ステッピングモータ１２１は、ステータ１２１ａが中板１１３に載置して固定され、ロータ１２１ｃが中板１１３と上ケース１１２とに軸支されており、制御回路１５の出力制御信号ＣＴＬ1 に基づいて、その回転方向、回転角度、および回転速度が制御される。
【００８２】
第１の５番車１２２は、大径歯車１２２ａの歯数が６０個、小径歯車１２２ｂの歯数が１５個に形成され、中板１１３および上ケース１１２に回動自在に軸支され、その大径歯車１２２ａが秒針用ステッピングモータ１２１のロータ１２１ｃ（ピニオン１２１ｃ’）と噛合して、ロータ１２１ｃの回転速度を所定速度に減速させる。この第１の５番車１２２には、図１０および図１２に示すように、秒針車１２３と重なる領域において周方向に等間隔（中心角α１が１２０°）で配置された３個の円形状をなす透孔１２２ｃが形成されている。この透孔１２２ｃは、光検出センサ１４０の検出光を通過させるだけでなく、少なくともその１つは、第１の５番車１２２を組付ける際の位置決め孔（度決め孔）として用いられるものである。
【００８３】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内側に挿通されて、その先端に秒針２０２が取り付けられている。この秒針車１２３には、図１１に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２３ｃとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００８４】
透孔１２３ｃは、光検出センサ１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００８５】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｅとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを秒針車１２２の回転角度位置の位置決めに用いることで、確実な位置決めを行うことができる。
【００８６】
秒針車１２３においては、図１１に示すように、複数（１１個）の透孔１２３ｃを設ける代わりに、図１２に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２３を形成する材料の無駄を低減することができる。
【００８７】
第２駆動径１３０は、図３、図４、および図９に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用ステッピングモータ１３１とロータ１３１ｃのピニオン１３１ｃ’に大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用ステッピングモータ１３１は、ステータ１３１ａが中板１１３に載置して固定され、ロータ１３１ｃが中板１１３と上ケース１１２とに軸支されており、制御回路の出力制御信号に基づいて、その回転方向、回転角度、および回転速度が制御される。
【００８８】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用ステッピングモータ１３１のロータ１３１ｃ（ピニオン１３１ｃ’）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行え製品のコストを低減することができる。
【００８９】
３番車１３３は、大径歯車１３２ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１３に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ１４０の検出光を通過させるだけでなく、少なくともその１つは、３番車１３３を組付ける際の位置決め孔（度決め孔）として用いられるものである。
【００９０】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１３に回動自在に軸支され、他端側の軸部は後述する時針車１３６の時針パイプ１３６ｐの内部に回動自在に挿通されている。また、分針パイプ１３４ｐは、下ケース１１１を貫通して時計の文字盤２０１側に突出しており、その先端には分針２０３が取り付けられている。
【００９１】
また、分針車１３４には、図１４に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｄと円弧状透孔１３４ｄとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００９２】
また、円弧状透孔１３４ｃは、一端側の円形部１３４ｃ’と、他端側から伸びる幅広円弧部１３４ｃ’’と、両者を連結する幅狭円弧部１３４ｃ’’’とにより形成されている。この幅狭円弧部１３４ｃ’’’により画定される円形部１３４ｃ’は、検出光を通過させるだけでなく、分針車１３４を組み付ける際の位置決め孔（度決め孔）として用いられるものである。
【００９３】
時針車１３６は、大型歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１１に形成された軸受け孔１１１ａに挿通されて回動自在に軸支されており、また、その先端側は下ケース１１１を貫通して時計の文字板２０１側に突出しており、その先端には時針２０４が取り付けられている。
【００９４】
また、時針車１３６には、図１５に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、さらに、円弧状透孔１３６ｃ，１３６ｄ，１３６ｅの長さは、中心角β１＋β２，β３，β４がそれぞれ７５°，６０°，９０°となるように設定されている。すなわち、円弧状透孔１３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００９５】
また、円弧状透孔１３６ｃは、一端側から中心角β１で７．５°のところに位置する円形部１３６ｃ’と、他端側から伸びる幅広円弧部１３６ｃ’’と、両者を連結すると共に円形部１３６ｃ’の両側に位置する幅狭円弧部１３６ｃ’’’とにより形成されている。この幅狭円弧部１３６ｃ’’’により画定される円形部１３６ｃ’は、検出光を通過させるだけでなく、時針車１３６を組み付ける際の位置決め孔（度決め孔）として用いられるものである。
【００９６】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３５ｂが時針車１３６（１３６ａ）に噛合して、分針車１３４の回転を減速して時針車１３６に伝達する。
【００９７】
光検出センサ１４０は、図３に示すように、上ケース１１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ2 のコレクタに接続されたドライブ回路１９における抵抗素子Ｒ4 の他端に接続され、カソードは、接地されるとともに、受光素子１４４のエミッタに接続されている。
受光素子１４４のコレクタは、制御回路１５に接続されている。この制御回路との接続ラインは、検出信号ＤＴ1 の制御回路１５への出力ラインとなっており、この出力ラインは、抵抗素子Ｒ5 を介して電源電圧ＶCCの供給ラインに接続されている。
ドライブ回路１９のトランジスタＱ2 のエミッタは電源電圧ＶCCの供給ラインに接続され、ベースは抵抗素子Ｒ3 を介してドライブ信号ＤＲ2 の出力ラインに接続されている。
すなわち、発光素子１４２は、制御回路１５からローレベルのドライブ信号ＤＲ2 が出力されたとき発光するようにドライブ回路１９に接続されている。
【００９８】
また、図４に示すように、平面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車１３４の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【００９９】
さらに、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【０１００】
第１の５番車１２２、３番車１３３、秒針車１２３、分針車１３４、時針車１３６を取付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、貫通孔１１１ｄが位置する取付け凹部１１２ｃに受光素子１４４を取付ける。
【０１０１】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合にくらべて装置の集約化、小型化を行うことができる。
【０１０２】
手動修正系１５０は、図３および図４に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【０１０３】
手動修正軸１５１は、分針車１３４と同位相で回転するように構成されており、上述の第２駆動系１３０により分針車１３４が駆動されているときには日の裏車１３５を介して分針車１３４と同位相で回転するとともに、第２駆動系１３０の非作動時には、頭部１５１ｂを指で回転させることにより、指針位置を手動修正できるようになっている。
【０１０４】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【０１０５】
分針車１３４の分針パイプ１３４ｐの先端部および時針車１３６の時針パイプ１３６ｐの先端部には、図１６に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻例えば１２時００分を指すように設定されている。
【０１０６】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【０１０７】
次に、上記構成による動作を、制御回路１５における制御動作を中心に、図１７から図２３を参照しながら説明する。
【０１０８】
まず、図１７に示すように、たとえばユーザにより受信スイッチ１２がオンされると、制御回路１５において、各種状態が初期状態に戻される（ＳＴ１）。
【０１０９】
そして、制御回路１５では、強制受信動作が行われる（ＳＴ２）。
具体的には、制御回路１５から標準電波信号受信系１１に駆動電力が供給されて、標準電波信号の受信動作が行われる。
【０１１０】
そして、制御回路１５では、セットモードか否かの判別が行われる（ＳＴ３）。
具体的には、制御回路１５では、セットモード切替スイッチ２４の固定接点２４ａが、チャイム接点２４ｃまたは現時刻接点２４ｄに接続されていない場合、つまり、固定接点２４ａが設定完了接点２４ｂに接続されている場合には、セットモードではないと判別する。
【０１１１】
そして、制御回路１５では、モニタースイッチ２１が操作されたか否かの判別が行われる（ＳＴ４）。
【０１１２】
ステップＳＴ４の判別において、モニタースイッチ２１が操作されていないと判別された場合には、長波受信回路１１ｂから受信状態に応じたパルス信号Ｓ１１が生成されて制御回路１５に出力され、そのパルス信号Ｓ１１とあらかじめ決められた基準範囲が比較される（ＳＴ５）。
【０１１３】
ステップＳＴ５の判別において、標準電波が受信可能である、つまり基準範囲内であると判別された場合には、指針位置検出動作に移行する（ＳＴ６）。
そして、内部時計１５ａの時刻カウンタがパルス信号Ｓ１１の時刻コードに基づいて同期され、内部時計１５ａの時刻カウンタの値に応じて、時刻のアナログ表示を行う指針の早送り修正が行われる（ＳＴ７）。
この指針の早送り修正は、内部時計１５ａの時刻カウンタの値に応じて、駆動信号ＣＴＬ1 ，ＣＴＬ2 をステッピングモータ１２１および時分針用ステッピングモータ１３１に出力して、早送りで回転駆動させ、指針位置をその時刻カウンタの時刻に修正する。
【０１１４】
また、ステップＳＴ３の判別において、固定接点２４ａがチャイム接点２４ｃまたは現時刻接点２４ｄに接続されておりセットモードであると判別された場合、およびステップＳＴ４の判別においてモニタースイッチ２１が操作されていると判別された場合、ならびに、ステップＳＴ５の判別において、標準電波が受信不可能であると判別された場合には、ステップＳＴ６の処理と同様に、指針位置検出動作に移行する（ＳＴ８）。
【０１１５】
そして、受信状態が基準範囲外の場合には「不可」、受信状態が基準範囲内の場合には、「良好」と受信状態がセットされる（ＳＴ９）。
【０１１６】
そして、ステップＳＴ９において、受信状態がセットされた後、発振回路１４において、１秒の時間がカウントされると（ＳＴ１０）、内部時計１５ａである時刻カウンタでは、１秒だけカウントアップが行われる（ＳＴ１１）。
【０１１７】
そして、第１の制御信号ＣＴＬ1 が出力されて、秒針用ステッピングモータ１２１がパルス駆動される（ＳＴ１２）。
【０１１８】
そして、時刻カウンタにおいて１０秒毎に、制御信号ＣＴＬ2 が出力されて、時分針用ステッピングモータ１３１がパルス駆動される（ＳＴ１３）。
【０１１９】
そして、セットされた受信状態が「不可」の場合には、ドライブ信号ＤＲ1 がドライブ回路１６に出力され、報知手段としての発光素子１７が発光し、ユーザに電波信号がほとんどできない旨が報知される（ＳＴ１４）。
【０１２０】
そして、制御回路１５では、内部時計１５ａの時刻カウンタに応じて、液晶表示パネル３０にデジタルカレンダー表示が行われる（ＳＴ１５）。
【０１２１】
そして、制御回路１５から、ドライブ信号ＤＲ3 が出力され、ＣｄＳセンサ４０により、明暗状態の検出が行われる（ＳＴ１６）。
そして、メロディ演奏動作が行われる（ＳＴ１７）。
【０１２２】
図１８は、自動修正時計のメロディ演奏動作の処理の一例を示すフローチャートである。
【０１２３】
まず、図１８に示すように、報時選択判定が行われる（ＳＴ１７０１）。
具体的には、たとえば、報時選択スイッチ２３の固定接点２３ａがオフ接点２３ｄに接続されていると判別された場合には、報時が行われずに、ステップＳＴ１７の次のステップＳＴ１８の処理に進む。
【０１２４】
また、ステップＳＴ１７０１の判別において、固定接点２３ａが正時時打接点２３ｂに接続されていると判別された場合には、時打処理を行うためにステップＳＴ１７０２の処理に進み、固定接点２３ａがチャイム接点２３ｃに接続されていると判別された場合には、チャイム報音処理を行うためにステップＳＴ１７１０の処理に進む。
【０１２５】
上述したように、ステップＳＴ１７０１において、固定接点２３ａが正時時打接点２３ｂに接続されていると判別された場合には、次に、時打回数が０回であるか否かが判別される（ＳＴ１７０２）。時打回数が０回でないと判別された場合には、ステップＳＴ１７０７の処理に進む。
【０１２６】
ステップＳＴ１７０２の判別において、時打回数が０回であると判別された場合には、モニタースイッチ（モニターボタンとも言う）２１が操作されたか否かの判別が行われる（ＳＴ１７０３）。
【０１２７】
ステップＳＴ１７０３の判別において、モニタースイッチ２１が操作されていないと判別された場合には、正時であるか、つまり０分０秒であるか否かが判別される（ＳＴ１７０４）。
【０１２８】
ステップＳＴ１７０４の判別において、正時であると判別された場合には、ＣｄＳセンサ４０により暗状態が検出されたか否かが判別される（ＳＴ１７０５）。
【０１２９】
ステップＳＴ１７０５の判別において、暗状態が検出されないと判別された場合、つまり明状態が検出されたと判別された場合、および、ステップＳＴ１７０３の判別においてモニタースイッチ２１が操作されたと判別された場合には、報音すべき時刻の時の数である時打回数がセットされる。たとえば、ＡＭ３時の場合には、時打回数が３回にセットされる（ＳＴ１７０６）。
【０１３０】
そして、制御回路１５では、報音（曲）の途中であるか否かの判別が行われ（ＳＴ１７０７）、報音の途中でないと判別された場合には、制御回路１５から、メロディ発生回路５０に正時の報音を行わせる制御信号ＣＴＬ５０がメロディ発生回路５０に出力される。
そして、メロディ発生回路５０では、正時の報音を行わせる制御信号ＣＴＬ５０が入力されると、それに応じた報音、たとえば、ボーンというメロディ（曲）がアンプ５１およびスピーカ５２を介して報音される（ＳＴ１７０８）。
そして、セットされている時打回数から１だけ減算される（ＳＴ１７０９）。
【０１３１】
そして、ステップＳＴ１７の次のステップＳＴ１８の処理に進む。
【０１３２】
また、ステップＳＴ１７０４の判別において、正時でないと判別された場合、ステップＳＴ１７０５の判別において、ＣｄＳセンサ４０により暗状態が検出されたと判別された場合、およびステップＳＴ１７０７の判別において、報音（曲）の途中であると判別された場合には、同様に、ステップＳＴ１７の次のステップＳＴ１８の処理に進む。
【０１３３】
また、ステップＳＴ１７０１の判別において、固定接点２３ａがチャイム接点２３ｃに接続されていると判別された場合には、まず、メロディ（曲）の途中であるか否かの判別が行われる（ＳＴ１７１０）。
【０１３４】
そして、ステップＳＴ１７１０の判別において、曲の途中でないと判別された場合には、モニタースイッチ２１が入力されたか否かの判別が行われ（ＳＴ１７１１）、モニタースイッチ２１が入力されていないと判別された場合には、内部時計１５ａの秒カウンタが０秒であるか否かの判別が行われる（ＳＴ１７１２）。
【０１３５】
そして、ステップＳＴ１７１２の判別において、０秒目であると判別された場合には、不揮発性メモリ１３のプログラムチャイム時刻が記憶されている先頭のアドレスがセットされる（ＳＴ１７１３）。
【０１３６】
そして、不揮発性メモリ１３内において、セットされたアドレスに記憶されているプログラムチャイム時刻が読み出される（ＳＴ１７１４）。
【０１３７】
そして、読み出されたプログラムチャイム時刻と、内部時計１５ａの現時刻と一致するか否かの判別が行われる（ＳＴ１７１５）。
【０１３８】
ステップＳＴ１７１５の判別において、一致していないと判別された場合には、不揮発性メモリ１３内において、次のプログラムチャイム時刻が記憶されているアドレスがセットされる（ＳＴ１７１６）。
【０１３９】
そして、セットされたアドレスが、プログラムチャイム時刻が記憶されているアドレスの最終アドレスか否かが判別される（ＳＴ１７１７）。
【０１４０】
そして、ステップＳＴ１７１７の判別において、最終アドレスではないと判別された場合には、ステップＳＴ１７１４の処理に戻る。
【０１４１】
また、ステップＳＴ１７１５の判別において現時刻と一致していると判別された場合、およびステップＳＴ１７１１においてモニタースイッチ２１が操作されたと判別された場合には、制御回路１５から、メロディ発生回路５０にプログラムチャイム時刻の報音を行わせる制御信号ＣＴＬ５０がメロディ発生回路５０に出力される。
【０１４２】
そして、メロディ発生回路５０では、プログラムチャイム時刻の報音を行わせる制御信号ＣＴＬ５０が入力されると、それに応じた報音、たとえば、ポピュラーなメロディ（曲）が、アンプ５１およびスピーカ５２を介して報音される（ＳＴ１７０８）。
そして、ステップＳＴ１７の次のステップＳＴ１８の処理に進む。
【０１４３】
また、ステップＳＴ１７１０の判別において、報音の途中であると判別された場合、ステップＳＴ１７１２の判別において、内部時計１５ａの時刻カウンタが０秒ではないと判別された場合、およびステップＳＴ１７１７の判別において最終アドレスであると判別された場合には、同様に、ステップＳＴ１７の次のステップＳＴ１８の処理に進む。
【０１４４】
次に、図１７に示すように、制御回路１５では、ステップＳＴ３と同様に、セットモードか否かの判別が行われる（ＳＴ１８）。
具体的には、制御回路１５では、セットモード切替スイッチ２４の固定接点２４ａが、チャイム接点２４ｃまたは現時刻接点２４ｄに接続されていない場合、つまり、固定接点２４ａが設定完了接点２４ｂに接続されている場合には、セットモードではないと判別し、次のステップＳＴ１９の処理に進む。
【０１４５】
そして、制御回路１５では、内部時計１５ａが、不揮発性メモリ１３に記憶されている自動受信時刻であるか否かの判別が行われる（ＳＴ１９）。自動受信時刻でないと判別された場合には、ステップＳＴ１０の処理に戻る。
【０１４６】
また、ステップＳＴ１８において、セットモードであると判別された場合には、図１９に示すように、セットモードの判別が行われる（ＳＴ２０）。
具体的には、セットモード切替えスイッチ２４の固定接点２４ａが、現時刻接点２４ｄに接続されている場合には、現時刻セットモードであると判別される。
【０１４７】
そして、現時刻セットモードであると判別された場合には、現時刻修正動作が行われる（ＳＴ２１）。
具体的には、たとえば、液晶表示パネル３０に表示されている年月日や時分の各桁が、ユーザによりセレクトスイッチ２５が操作されることにより選択され、アップスイッチ２６またはダウンスイッチ２７が操作されることにより、選択された項目が手動で修正される。
【０１４８】
そして、ユーザにより修正するための入力が終了されると、セットモード切替スイッチ２４の固定接点２４ａが設定完了接点２４ｂに接続されて、上述した修正が完了し、修正が反映される。
【０１４９】
そして、長波受信回路１１ｂによる受信状態が、基準範囲外の場合には「不可」、受信状態が基準範囲内の場合には「良好」と受信状態が設定される（ＳＴ２２）。
そして、ステップＳＴ１０の処理に戻る。
【０１５０】
また、ステップＳＴ２０のセットモードの判別処理において、セットモード切替えスイッチ２４の固定接点２４ａがチャイム接点２４ｃに接続されている場合には、プログラムチャイム時刻設定モードであると判別され、プログラムチャイム時刻設定動作が行われる（ＳＴ２３）。
【０１５１】
具体的には、たとえば、液晶表示パネル３０にプログラムチャイム時刻が表示され、ユーザにより、時分等の各桁が、セレクトスイッチ２５が操作されることにより選択され、アップスイッチ２６またはダウンスイッチ２７が操作されることにより、選択された項目が手動で設定される。
また、プログラムチャイム時刻は、たとえば、一日に１２個等、複数個が設定可能である。
【０１５２】
そして、ユーザにより固定接点２４ａが設定完了接点２４ｂに接続されると、設定された複数のプログラムチャイム時刻が不揮発性メモリ１３に記憶される（ＳＴ２４）。
【０１５３】
そして、制御回路１５では、設定されたプログラムチャイム時刻に基づいて、標準電波信号を受信する受信時刻が設定され（ＳＴ２５）、ステップＳＴ１０の処理に戻る。
【０１５４】
図２１は、制御回路により受信時刻の設定を行う処理の一例を示すフローチャートである。
【０１５５】
まず、図２１に示すように、不図示のＲＡＭに受信時刻として、一時的にＡＭ１２時がセットされる（ＳＴ２５１）。
【０１５６】
そして、不揮発性メモリ１３の先頭のアドレスがセットされ（ＳＴ２５２）、不揮発性メモリ１３から、セットされたアドレスに記憶されているプログラムチャイム時刻が読み出される（ＳＴ２５３）。
【０１５７】
そして、読みだされたプログラムチャイム時刻が、ＲＡＭに一時記憶された受信時刻の時台と、一致するか否かが判別される（ＳＴ２５４）。
【０１５８】
具体的には、たとえば、ユーザにより設定されたプログラムチャイム時刻がＡＭ１２時３０であった場合には、そのプログラムチャイム時刻の時台がＡＭ１２時台であり、ＲＡＭに一時セットされている受信時刻の時台がＡＭ１２時なので、時台が一致していると判別される。
【０１５９】
また、たとえば、プログラムチャイム時刻がＡＭ１２時４０分であっても、ＡＭ１２時台であるので、時台が一致していると判別される。
また、たとえば、プログラムチャイム時刻がＡＭ１時２４分であった場合には、そのプログラムチャイム時刻の時台はＡＭ１時台であり、ＲＡＭに一時セットされている受信時刻の時台がＡＭ１２時なので、時台が一致していないと判別される。
【０１６０】
そして、上述のようにプログラムチャイム時刻の時台と、ＲＡＭに一時的に記憶されている受信時刻の時台が一致していると判別された場合には、この時台では受信しないように、次の時台が受信時刻の時台として一時的にＲＡＭにセットされる（ＳＴ２５５）。
具体的には、たとえば、ＡＭ１２時の次の時台であるＡＭ１時がＲＡＭに一時的にセットされる。
そして、ステップＳＴ２５２の処理に戻る。
【０１６１】
また、ステップＳＴ２５４の判別において、ＲＡＭに記憶されている一時的な受信時台と、指定されたアドレスに格納されていたプログラムチャイム時刻が一致していない場合には、次のプログラムチャイム時刻が記憶されている不揮発性メモリ１３のアドレスが設定される（ＳＴ２５６）。
【０１６２】
そして、ステップＳＴ２５６で設定されたアドレスが、不揮発性メモリ１３に記憶されているプログラムチャイム時刻の最終アドレスか否が判別され（ＳＴ２５７）、最終アドレスではないと判別された場合には、ステップＳＴ２５３の処理に戻る。
【０１６３】
また、ステップＳＴ２５７の判別において、最終アドレスであると判別された場合には、その一時セット時台が、標準電波を受信する受信時台であるとして、不揮発性メモリ１３に記憶される（ＳＴ２５８）。
【０１６４】
そして、不揮発メモリ１３に受信時台が、あらかじめ定められた所定の数、たとえば４つ、書き込まれた否かが判別される、つまり、４つの受信時台が設定されたか否かが判別される（ＳＴ２５９）。
【０１６５】
そして、ステップＳＴ２５９の判別において、所定の数だけ書き込まれていると判別された場合には、ステップＳＴ２５の次の処理、つまり、ステップＳＴ１０に処理に戻る。
【０１６６】
また、ステップＳＴ２５９の判別において、まだ所定の数、たとえば、４つの時台が不揮発性メモリ１３に書き込まれていない場合には、ステップＳＴ２５５の処理に戻り、次の時台がセットされる（ＳＴ２５５）。
【０１６７】
そして、また、ステップＳＴ１９の判別において、不揮発性メモり１３に記憶されている自動受信時刻であると、判別された場合には、図２０にしめすように、自動受信動作に移行する（ＳＴ２６）。
【０１６８】
そして、長波受信回路１１ｂにより標準電波が受信され、受信状態が、基準範囲内であるか否かが判別される（ＳＴ２７）。
【０１６９】
ステップＳＴ２７の判別において、受信が可能であると判別された場合には、長波受信回路１１ｂにより復調された時刻コードが、内部時計１５ａと差があるか否かが判別される（ＳＴ２８）。
そして、内部時計１５ａと差があると判別された場合には、時刻コードに応じて、内部時計１５ａの時刻カウンタが修正され、その時刻カウンタに応じて、指針の早送り修正動作が行われる（ＳＴ２９）。
そして、受信状態が「良好」とセットされ（ＳＴ３０）、ステップＳＴ１０の処理に戻る。
【０１７０】
また、ステップＳＴ２７の判別において、受信状態が基準範囲外であり、時刻コードの復調が不可能であると判別された場合、または、ステップＳＴ２８の判別において、内部時計１５ａと差がないと判別された場合には、ステップＳＴ３０の処理に進む。
【０１７１】
次に、ステップＳＴ６およびステップＳＴ８の指針位置検出動作について図１９を参照して説明する。
【０１７２】
制御回路１５から時分用パルス信号出力パターンがセットされ（ＳＴ６０１）、ドライブ信号信号ＤＲ2 がドライブ回路１９にローレベルで出力される。これにより、トランジスタＱ2 がオンし、発光素子１４２、すなわち発光ダイオードから検出光が発せられる。
【０１７３】
続いて、制御回路１５から制御信号ＣＴＬ1 が出力されて秒針用ステッピングモータ１２１がパルス駆動され（ＳＴ６０２）、受光素子１４４すなわちフォトトランジスタがオンし、検出信号ＤＴ1 がハイレベル（電源電圧ＶCCレベル）からローレベルに切り換わったか否かの判別が行われる（ＳＴ６０２）。
【０１７４】
ここで、フォトトランジスタからの検出信号ＤＴ1 がハイレベルのままに保持されている場合には、ステップ駆動を行うためにパルス数を加算する度に、フォトトランジスタからの検出信号ＤＴ1 がハイレベル（電源電圧ＶCCレベル）からローレベルに切り換わったか否かの判別が行われる（ＳＴ６０４〜ＳＴ６０６）。
そして、パルス数が９に達してもフォトトランジスタからの検出信号ＤＴ1 出力がハイレベル（電源電圧ＶCCレベル）からローレベルに切り換わらない場合には、時分針用ステッピングモータ１３１が１ステップ（パルス）駆動され（ＳＴ６０７）、その後再び秒針用ステッピングモータ１２１がステップ駆動され（ＳＴ６０２）て、秒針車１２３が回転駆動される。
【０１７５】
一方、ステップＳＴ６０３において、フォトトランジスタによる検出信号ＤＴ1 がハイレベルからローレベルに切り換わったと判別されると、秒針車１２３が早送りされ（ＳＴ６０８）、制御回路１５にあらかじめ記憶された出力パターンとの比較が行われる（ＳＴ６０９）。
比較の結果、得られた出力パターンと記憶された出力パターンとが適合しない場合は、ステップＳＴ６０８に戻り、再び秒針車１２３が早送りされる。
【０１７６】
一方、得られた出力パターンと記憶された出力パターンとが適合した場合には、その時点（５ステップ目でもフォトトランジスタにより検出信号ＤＴ1 のレベルがローレベルに切り換わらない場合において次にフォトトランジスタの出力がローレベルに切り換わった時点）で、制御信号ＳＴＬ1 の出力が停止されて、秒針車１２３の回路駆動が停止される。そして、秒針車１２３が帰零位置で停止する（ＳＴ６１０）。このとき、秒針は所定時刻たとえば正時（０秒）の位置に修正される。
【０１７７】
続いて、制御回路１５から制御信号ＣＴＬ2 が出力されて時分針用ステッピングモータ１３１のみが所定の出力周波数でパルス駆動されて分針車１３４が早送りされる（ＳＴ６１１）。
【０１７８】
そして、フォトトランジスタからの出力パターンと制御回路１５にあらかじめ記憶された出力パターンとの比較が行われる（ＳＴ６１２）。
比較の結果、得られた出力パターンと記憶された出力パターンとが適合しない場合は、ステップＳＴ６１１の処理に戻り、再び分針車１３４が早送りされる。
【０１７９】
一方、ステップＳＴ６１２の比較の結果、得られた出力パターンと記憶された出力パターンとが適合した場合は、その時点で、制御信号ＣＴＬ2 の出力が停止されて、時分針用ステッピングモータ１３１が停止されて、分針車１３４および時針車１３６の駆動が停止される（ＳＴ６１３）。
【０１８０】
ここで、出力パターンとあらかじめ記憶された出力パターンとの比較による時刻修正は、３種類のパターンのいずれかに合わせることにより行われる。
【０１８１】
すなわち、分針車１３４によるフォトトランジスタの出力パターンは、図２３（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図２３（ｂ）に示すように、遮光部が作用するオフの幅が３種類のＤ部、Ｅ部、Ｃ部が所定間隔をおいて交互に現れるようなパターンとなり、両者を合成した出力パターンは、図２３（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図２３に示すパターンのうちオンとなるパターンの部分は、実際には３番車１３３の遮光部によりオフとなる部分があるので、歯抜け状のパターンとなっている。
【０１８２】
そこで、Ｄ部，Ｂ部およびＡ部の組み合わせからなるパターンが確認されたときを例えば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分としてあらかじめ設定しておけば、これらのパターンのいずれかを検出したときに、時分針用ステッピングモータ１３１を停止させることで、分針車１３４および時針車１３６すなわち分針２０３および時針２０４を所定の時刻に時刻修正することができる。
【０１８３】
そして、時分針用ステッピングモータ１３１を停止させた後、制御回路１４によるドライブ信号ＤＲ2 がハイレベルに切り換えられる。
これにより、ドライブ回路１９のトランジスタＱ2 がオフし、発光ダイオードの発光が停止され（ＳＴ６１４）、時刻修正動作を終了する。
【０１８４】
以上説明したように、本実施の形態によれば、標準時刻信号を含む標準電波を受信し、標準時刻信号を出力する標準電波信号受信系１１と、報音を行う時刻であるプログラムチャイム時刻が入力されるセレクトスイッチ２５，アップスイッチ２６，およびダウンスイッチ２７と、明暗を検出するＣｄＳセンサ４０と、制御信号に応じて報音を行うメロディ発生回路５０と、制御回路１５により設定された受信時刻を記憶する不揮発性メモリ１３と、入力されたプログラムチャイム時刻を含む時台を除いて、所定の時台から順に受信時刻を含む時台を所望の数だけ設定し、設定された時台に応じて、標準電波信号受信系１１に標準電波を受信させて標準時刻信号を出力させて標準時刻信号に応じて時刻の修正を行い、設定されたプログラムチャイム時刻になった場合には、プログラム時刻に応じた制御信号をメロディ発生回路５０に出力し、毎正時になった場合には、毎正時に応じた制御信号をメロディ発生回路５０に出力し、毎正時にＣｄＳセンサ４０により暗状態が検出された場合には、メロディ発生回路５０に毎正時に応じた制御信号を出力しない制御回路１５とを設けたので、設定された所望のプログラムチャイム時刻に、その時刻の０秒に報音を行うことができる。
【０１８５】
また、ユーザにより入力されたプログラムチャイム時刻の時台を除いて、受信時刻が設定されるので、受信時刻が容易にわかる。
【０１８６】
なお、本発明は本実施の形態に限られるものではなく、任意好適な種々の改変が可能である。たとえば、本実施の形態では、プログラムチャイム時刻が１２個設定することができたが、この形態に限られるものではない。
【０１８７】
また、本実施の形態では、受信時刻を所望の時台から４つ選択したが、この形態に限られるものではない。たとえば、受信時刻の回数は１回でもよいし、任意の複数回でもよい。
【０１８８】
また、本実施の形態では、記憶回路として不揮発性メモリ１３を用いたが、この形態に限られるものではない。たとえば、揮発性のメモリを用いてもよい。
【０１８９】
【発明の効果】
以上説明したように、本発明によれば、任意に設定された報音時刻に確実に報音を行うことができる。
【図面の簡単な説明】
【図１】本発明に係る自動修正時計の概要を説明するための模式図である。
【図２】本発明に係る自動修正時計の信号処理系回路の一実施の形態を示すブロック構成図である。
【図３】本発明に係る自動修正時計の指針位置検出装置の一実施の形態の全体構成を示す断面図である。
【図４】本発明に係る指針位置検出装置の要部の平面図である。
【図５】図１の自動修正時計の外観を示す正面図である。
【図６】標準時刻電波の信号パターンを示す図である。
【図７】標準時刻電波信号の時刻コードの一例を示す図である。
【図８】自動修正時計の一部である秒針を駆動する第１駆動系を示す平面図である。
【図９】自動修正時計の一部である分針および時針を駆動する第２駆動系を示す平面図である。
【図１０】秒針を駆動する第１駆動系の一部をなす第１の５番車を示す平面図である。
【図１１】秒針を駆動する第１駆動系の一部をなす秒針車を示す平面図である。
【図１２】  秒針を駆動する第１駆動系の一部をなす秒針車の他の例を示す平面図である。
【図１３】分針および時針を駆動する第２駆動系の一部をなす３番車を示す平面図である。
【図１４】分針および時針を駆動する第２駆動系の一部をなす分針車を示す平面図である。
【図１５】分針および時針を駆動する第２駆動系の一部をなす時針車を示す平面図である。
【図１６】分針パイプおよび時針パイプの先端部を示す端面図である。
【図１７】本発明に係る自動修正時計の制御回路における制御動作を説明するためのフローチャートである。
【図１８】本発明に係る自動修正時計の制御回路における制御動作を説明するためのフローチャートである。
【図１９】本発明に係る自動修正時計の制御回路における制御動作を説明するためのフローチャートである。
【図２０】本発明に係る自動修正時計の制御回路における制御動作を説明するためのフローチャートである。
【図２１】本発明に係る自動修正時計の制御回路における制御動作を説明するためのフローチャートである。
【図２２】本発明に係る自動修正時計の制御回路における指針位置修正動作を説明するためのフローチャートである。
【図２３】修正操作において、分針車、時針車、および両者の合成による検出出力パターンを示す図である。
【符号の説明】
１０…信号処理系回路
１１…標準電波信号受信系
１２…受信スイッチ
１３…不揮発性メモリ
１４…発振回路
１５…制御回路
１６…ドライブ回路
１７…発光素子
１８…バッファ回路
１９…ドライブ回路
２０…スイッチ群
２１…モニタースイッチ
２２…設定解除スイッチ
２３…報時選択スイッチ
２３ａ…固定接点
２３ｂ…正時時打接点
２３ｃ…チャイム接点
２３ｄ…オフ（ＯＦＦ）接点
２４…セットモード切替スイッチ
２４ａ…固定接点
２４ｂ…設定完了接点
２４ｃ…チャイム接点
２４ｄ…現時刻接点
２５…セレクトスイッチ
２６…アップ（ＵＰ）スイッチ
２７…ダウン（ＤＯＷＮ）スイッチ
３０…液晶表示パネル
４０…ＣｄＳセンサ
５０…メロディ発生回路
１００…時計本体
１１１…下ケース（第２ケース）
１１１ｃ…取付け凹部（第２配置部）
１１１ｄ…円形貫通孔
１１２…上ケース（第１ケース）
１１３…中板
１２０…第一駆動系
１２１…秒針用ステッピングモータ（第一駆動源）
１２２…第１の５番車（第一伝達歯車、第一検出用歯車）
１２２ｃ…透孔
１２３…秒針車（第２検出用歯車、第一指針車）
１２３ｃ…透孔
１２３ｄ…位置決め遮光部
１２３ｅ…付勢ばね
１２３ｆ…切り欠き孔
１２３ｇ…切り欠き孔
１３０…第２駆動系
１３１…分針系ステッピングモータ（第２駆動源）
１３２…第２の５番車
１３３ｃ…透孔
１３４…分針車（第４検出用歯車、第２指針車）
１３４ｃ…円弧状透孔
１３４ｄ…円弧状透孔
１３４ｅ…円弧状透孔
１３４ｇ…溝（第１指標）
１３４ｐ…分針パイプ
１３５…日の裏車
１３６…時針車（第５検出用歯車、第２指針車）
１３６ｃ…円弧状透孔
１３６ｄ…円弧状透孔
１３６ｅ…円弧状透孔
１３６ｇ…溝鵜（第２指標）
１３６ｐ…時針パイプ
１４０…光検出センサ（検出手段）
１４２…発光素子
１４４…受光素子
１５０…手動修正系
２０１…文字盤
２０２…秒針
２０３…分針
２０４…時針
ＶCC…電源電圧
Ｃ1 〜Ｃ3 、Ｃ11，Ｃ12，Ｃb1，Ｃb2…キャパシタ
Ｌ11，Ｌb1，Ｌb2…同調コイル
Ｒ1 〜Ｒ8 …抵抗素子
【図１】
0003779898.tif 000005
【図２】
0003779898.tif 000006
【図３】
0003779898.tif 000007
【図４】
0003779898.tif 000008
【図５】
0003779898.tif 000009
【図６】
0003779898.tif 000010
【図７】
0003779898.tif 000011
【図８】
0003779898.tif 000012
【図９】
0003779898.tif 000013
【図１０】
0003779898.tif 000014
【図１１】
0003779898.tif 000015
【図１２】
0003779898.tif 000016
【図１３】
0003779898.tif 000017
【図１４】
0003779898.tif 000018
【図１５】
0003779898.tif 000019
【図１６】
0003779898.tif 000020
【図１７】
0003779898.tif 000021
【図１８】
0003779898.tif 000022
【図１９】
0003779898.tif 000023
【図２０】
0003779898.tif 000024
【図２１】
0003779898.tif 000025
【図２２】
0003779898.tif 000026
【図２３】
0003779898.tif 000027